(57)【特許請求の範囲】
【請求項１】
機体の外郭をなす矩形状の外枠と、複数種の遊技機構成部材が搭載セットされ、前記外枠の開口前面側に開閉及び着脱自在に取り付けられる中枠と、前記中枠の前面側に装着される球皿を備える遊技機の遊技機用スピーカシステムにおいて、
前記外枠内の中枠設置部位よりも下方位置には、単一のエンクロージャ構造をなすスピーカ収容部が１つ形成され、
当該スピーカ収容部の前面側を覆う遮蔽板には、２以上の中高音用スピーカユニットが、その中高音用スピーカユニットの前面部を機表側に向けるようにして取り付けられており、
当該遮蔽板には、前記中高音用スピーカユニットの前面部と対応する位置にそれぞれ音放出口が形成されているとともに、当該音放出口とは別にバスレフポートが開口形成されており、
前記バスレフポートは、前記スピーカ収容部内に設けられているバスレフダクトに連通されていることを特徴とする遊技機用スピーカシステム。
【請求項２】
前記バスレフポートは、２つの前記中高音用スピーカユニットの間に形成されていることを特徴とする請求項１に記載の遊技機用スピーカシステム。
【発明の詳細な説明】
【０００１】
【発明の属する技術分野】
本発明は、遊技機用スピーカシステムに関するものである。
【０００２】
【従来の技術】
一般に、パチンコ機等の遊技機においては、遊技機の機内部に、各種遊技状態に応じて様々な効果音（入賞音等）を発するための遊技機用スピーカ装置が装備されている。即ち、遊技機において機体の外郭をなす外枠内には、遊技機の搭載枠とも称される中枠（内枠ともいう）が設置され、この中枠の前面側下部に前記スピーカ装置は配設されている。ところで、このスピーカ装置が配設される中枠の前面側下部には、機表側の上球皿及び下球皿へ機裏側の球払出装置から遊技球を夫々排出するための各球排出口が形成される他に、発射レール等も配設される。そのため、前記スピーカ装置の配設スペースは限られたものとされ、その結果、前記スピーカ装置には、従来から、小型のスピーカユニットが使用されていた。
【０００３】
その一方、近時においては、遊技機における興趣を高める一環として、スピーカ装置から発せられる音の高音質化が希求されている。しかし、前述したような小型のスピーカユニットでは、いくらスピーカユニットの性能が年々向上しているとはいえ、その特性上、低音の迫力が十分ではなく、その音質は、決して遊技者を満足させるものではなかった。
【０００４】
そこで、このような事情に鑑みて、例えば特開平８−１９６３８号公報に示すようなスピーカシステムが提案されている。即ち、この公報に記載のスピーカシステムでは、遊技機の機内部にではなく、スペース的に比較的余裕がある遊技機の機外後方にスピーカユニットを収容したスピーカボックスを配設する構成としている。そして、遊技機における中枠を前後方向へ貫通するように形成されたダクトを介して前記スピーカユニットからの効果音等を機表側に形成された音放出口から放出するようにしている。従って、この公報に記載のスピーカシステムによれば、スピーカユニットを機内部に装備しないため、スピーカユニットの大型化を実現でき、再生帯域を広げることで高音質化を図ることも可能とされていた。
【０００５】
【発明が解決しようとする課題】
しかしながら、上記公報に記載のスピーカシステムでは、スピーカユニットを収容するスピーカボックスが遊技機の機外後方に遊技機とは別体の構成で配設されているため、次のような問題があった。即ち、遊技機において機外後方に面する機裏側には、各種の制御基板及び球払出装置等の遊技機構成部材が配設されている。そして、これらの遊技機構成部材については、定期・不定期を問わず、頻繁に部材交換等のメンテナンス作業を行うことがある。そのため、前述したように、遊技機の機外後方に遊技機とは別体構成のスピーカボックスが配設されていると、遊技機における機裏側のメンテナンス作業がしずらいという問題があった。
【０００６】
本発明は上記問題点を解決するためになされたものであり、その目的は、遊技機における機裏側のメンテナンス作業に支障を与えることなく、当該遊技機が備えるスピーカ装置の高音質化を図ることができる遊技機用スピーカシステムを提供することにある。
【０００７】
【課題を解決するための手段】
上記目的を達成するために、本願請求項１に係る発明は、機体の外郭をなす矩形状の外枠と、複数種の遊技機構成部材が搭載セットされ、前記外枠の開口前面側に開閉及び着脱自在に取り付けられる中枠と、前記中枠の前面側に装着される球皿を備える遊技機の遊技機用スピーカシステムにおいて、前記外枠内の中枠設置部位よりも下方位置には、単一のエンクロージャ構造をなすスピーカ収容部が１つ形成され、当該スピーカ収容部の前面側を覆う遮蔽板には、２以上の中高音用スピーカユニットが、その中高音用スピーカユニットの前面部を機表側に向けるようにして取り付けられており、当該遮蔽板には、前記中高音用スピーカユニットの前面部と対応する位置にそれぞれ音放出口が形成されているとともに、当該音放出口とは別にバスレフポートが開口形成されており、前記バスレフポートは、前記スピーカ収容部内に設けられているバスレフダクトに連通されていることを要旨とした。
【０００８】
また、本願請求項２に係る発明は、請求項１に記載の遊技機用スピーカシステムにおいて、前記バスレフポートは、２つの前記中高音用スピーカユニットの間に形成されていることを要旨とした。
【００１６】
【発明の実施の形態】
（第１実施形態）
以下、本発明をパチンコ遊技機（以下、「遊技機」という）における遊技機用スピーカシステムに具体化した第１実施形態を図１〜図４に従って説明する。
【００１７】
図１に略示するように、本実施形態に係る遊技機１０は機体の外郭をなす正面視縦矩形枠状の外枠１１を備えている（なお、図１には外枠１１の下枠部１１ａのみが図示されている。）。そして、この外枠１１の開口前面側には複数種の遊技機構成部材を搭載セットした縦長方形状の中枠１２が開閉及び着脱自在に組み付けられている。即ち、中枠１２の前面側には、図１に示すように、機内部に配置された遊技盤１３を透視保護するためのガラス枠を備えた前枠１４と上球皿１５とが共に横開き状態で開閉可能に組付け整合されている。また、中枠１２の前面側において、前記上球皿１５の組み付け整合領域よりも下方には、打球発射装置１６と下球皿１７が装着されている。
【００１８】
前記中枠１２の外郭形状は、横方向の幅寸法が前記外枠１１の横方向の幅寸法と略同一とされ、縦方向の長さ寸法が前記外枠１１の縦方向の長さ寸法よりも短く形成されている。従って、中枠１２は、図１に示すように、その上端縁及び左右両側縁を外枠１１の上端縁及び左右両側縁にそれぞれ略一致させた状態で、外枠１１の開口前面側に組み付け整合されている。そして、この遊技機１０では、外枠１１内における中枠１２の組み付け整合領域（即ち、中枠設置部位）よりも下方領域の開口前面側が遮蔽板１８にて覆われた構成とされ、この遮蔽板１８の裏面側に対応する機内部にスピーカ収容部が形成されている。
【００１９】
前記遮蔽板１８は、前枠１４や下球皿１７等と同材質の合成樹脂からなる板材であり、図１に示すように、正面から見て当該遮蔽板１８の左右方向長さをほぼ三等分する二箇所には多数の小孔からなる第１音放出口１９と第２音放出口２０が形成されている。また、前記両音放出口１９，２０のうち左側に位置する第１音放出口１９の右側近傍には、多数の小孔からなる第３音放出口２１がバスレフポートとして機能するように形成されている。そして、図２に略示するように、前記遮蔽板１８の裏面側には、複数（本実施形態では２つ）のエンクロージャＥ１，Ｅ２が、スピーカ収容部を構成するために遊技機１０の前後方向の幅内（つまり、機内部）に位置するように区画壁２２により形成されている。
【００２０】
前記各エンクロージャＥ１，Ｅ２のうち図２で左側の第１エンクロージャＥ１内にはコーン形スピーカの第１スピーカユニット２３が配設されて第１スピーカ装置Ｓ１を構築している。なお、以下の説明においては「スピーカユニット」のことを「スピーカ」ともいう。前記第１スピーカ２３は中音及び高音を好適に再生可能な中高音用スピーカユニットであり、その前面部（振動板のある側）には当該スピーカ２３から発せられる音声の通過を許容する合成繊維素材からなる保護カバー２４が被覆されている。そして、この保護カバー２４が被覆されてなる第１スピーカ２３は当該スピーカ２３の前面部が前記第１音放出口１９に位置合わせされた状態で遮蔽板１８の裏面側に装着されている。そのため、前記第１スピーカ２３の前面部は第１音放出口１９を介して遊技機１０外部の大気と直接接触していることになる。
【００２１】
従って、この第１スピーカ２３が遮蔽板１８の裏面側に装着された状態において、第１エンクロージャＥ１は、第１音放出口１９以外には音出口のない密閉型エンクロージャ構造のスピーカ収容部とされる。なお、第１エンクロージャＥ１の容量は適正容量となるように所定の計算式に従って設計されている。また、このような密閉型エンクロージャ構造をなすスピーカ収容部にスピーカユニットを内包した形態のスピーカ装置のことを、一般に、密閉型スピーカと呼んでいる。そして、本実施形態では、前記第１スピーカ装置Ｓ１を密閉型スピーカとして構成している。
【００２２】
一方、図２で右側の第２エンクロージャＥ２内にはコーン形スピーカの第２スピーカユニット２５が配設されて第２スピーカ装置Ｓ２を構築している。前記第２スピーカ２５も中音及び高音を好適に再生可能な中高音用スピーカユニットであり、その前面部には当該スピーカ２５から発せられる音声の通過を許容する合成繊維素材からなる保護カバー２６が被覆されている。そして、この保護カバー２６が被覆されてなる第２スピーカ２５は当該スピーカ２５の前面部が前記第２音放出口２０に位置合わせされた状態で遮蔽板１８の裏面側に装着されている。そのため、前記第２スピーカ２５の前面部は第２音放出口２０を介して遊技機１０外部の大気と直接接触していることになる。
【００２３】
また、図２に示すように、前記第２エンクロージャＥ２は第１エンクロージャＥ１よりも容量が大きく構成されている。そして、この第２エンクロージャＥ２内には前記第２スピーカ２５の背面近傍位置から前記第３音放出口２１に連なるバスレフダクト（共鳴管ともいう）２７が区画壁２２により延長屈折した迷路状のダクト構造をなすように形成されている。そのため、前記第２スピーカ２５の背面部はバスレフダクト２７及び第３音放出口２１を介して遊技機１０外部の大気と直接接触していることになる。
【００２４】
従って、この第２スピーカ２５が遮蔽板１８の裏面側に装着された状態において、第２エンクロージャＥ２は、バスレフポートたる第３音放出口２１に連通するバスレフダクト２７が内部に形成されたバスレフ型エンクロージャ構造をなすスピーカ収容部とされる。なお、第２エンクロージャＥ２の容量については低音再生のための適正容量となるように設計されている。但し、第１エンクロージャＥ１の場合に比して容量設計の自由度は高い。また、このようなバスレフ型エンクロージャ構造のスピーカ収容部にスピーカユニットを内包した形態のスピーカ装置のことを、一般に、バスレフ形スピーカ（位相反転形スピーカ）と呼んでいる。そして、本実施形態では、前記第２スピーカ装置Ｓ２をバスレフ形スピーカ（位相反転形スピーカ）として構成している。
【００２５】
次に、上記のように構成した本実施形態に係る遊技機１０の作用を説明する。さて、この遊技機１０を遊技場等に設置する際には、まず外枠１１が設置枠台（図示略）上に立設された後、その外枠１１に対して中枠１２が組み付け整合される。そして、その中枠設置部位よりも下方位置には遮蔽板１８と区画壁２２とにより形成されるエンクロージャＥ１，Ｅ２をスピーカ収容部として第１，第２スピーカ装置Ｓ１，Ｓ２が遊技機１０の機内部に位置するようにセットされる。
【００２６】
そして、設置後には、当該遊技機１０において入賞等の所定遊技状態が発生すると、図示しない音声制御基板から出力される音声制御信号に基づいて前記各スピーカ装置Ｓ１，Ｓ２から様々な効果音が再生出力される。そして、その効果音等の再生出力に際して、密閉型スピーカとして構成された第１スピーカ装置Ｓ１及びバスレフ型スピーカとして構成された第２スピーカ装置Ｓ２からは、音質の良い再生音の出力が可能とされる。
【００２７】
ここで、スピーカの特性について説明すると、スピーカは、振動板が前に動くと正面（前面）の空気密度が高くなると同時に背面（後面）の空気密度が低くなり、反対に、振動板が後に動くと背面の空気密度が高くなると同時に正面の空気密度が低くなる。また、スピーカの正面（前面）から出る音と背面（後面）から出る音とは双方の音の位相において１８０度のずれがあり、正面からの音の位相を正相とした場合、背面からの音の位相は逆相になる。そのため、スピーカの前後の空気を隔離する構造体（バッフル板）がないと、特に高音に比して指向性の鈍い低音は、その音波がスピーカの周囲を往復するだけで前方へ進まない。その結果、そのようなスピーカでは、正面から出た正相の低音と背面から出た逆相の低音とが打ち消し合うことになり、高音ばかりが強調されて低音がはっきり聞こえないという状況を招いてしまう。
【００２８】
そこで、そのような状況を招来しないために、通常、スピーカ装置が構築される場合には、スピーカの前後の空気を隔離する構造体（バッフル板）が当該スピーカのエンクロージャとして設けられる。ここに「エンクロージャ」とはスピーカユニットが装着される構造体のことをいうが、必ずしも完全な箱体形状の構造体のみを意味しない。即ち、スピーカの正面から出た正相の低音と背面から出た逆相の低音との打ち消し合いを防ぐことが可能な構造体であれば、平板状のバッフル板や、そのようなバッフル板の角を後へ曲げた形の背面開放型キャビネット形態のものも、本明細書中における「エンクロージャ」の技術的概念には含まれるものである。そして、かかるスピーカの特性を考慮して構成された前記第１，第２スピーカ装置Ｓ１，Ｓ２は、スピーカ収容部がエンクロージャ構造をなしているため、次のような機能を発揮する。
【００２９】
まず、密閉型スピーカである第１スピーカ装置Ｓ１の場合は、スピーカ２３の前後での密度の相違する空気の干渉が密閉型エンクロージャ構造をなす第１エンクロージャＥ１により完全に遮断される。従って、スピーカ２３の正面から出た正相の音と背面から出た逆相の音とが互いに打ち消し合うことはない。また、図２に示されるように、第１エンクロージャＥ１は、正面から見て横幅が広く且つ奥行きが浅い形態をしている。そのため、この第１スピーカ装置Ｓ１では、第１エンクロージャＥ１内でスピーカ２３に背面からの空気圧がかかるため、音質の良い中高音が再生出力されると共に、低音に関しても量感は少ないものの、締まりのある歯切れよい低音の再生が可能とされる。
【００３０】
一方、第２スピーカ装置Ｓ２のようなバスレフ形スピーカは、音波が空洞（つまり、エンクロージャの容積）と筒（即ち、バスレフダクト）で共鳴する現象を利用し、スピーカの背面からの音を空洞と筒で共鳴させることにより低音域の量感を補うようにしたスピーカである。そのため、スピーカ収容部が密閉型エンクロージャ構造の密閉型スピーカよりも低音の量感が得やすく、低音増強用には好適なスピーカとされている。そこで次に、このようなバスレフ形スピーカとして構成された前記第２スピーカ装置Ｓ２における低音再生原理に関して、以下詳細に説明する。
【００３１】
前述したように、スピーカの正面（前面）から出る音と背面（後面）から出る音とは双方の音の位相において１８０度のずれがあり、正面からの音の位相を正相とした場合、背面からの音の位相は逆相になる。従って、バスレフ形スピーカにおけるバスレフダクトの全長をＬとした場合、そのスピーカから発せられる音のうち波長がＬとなる周波数の音は、正面から出る音と背面から出る音とが互いに打ち消し合うため、低音増強を図ることができない。しかし、波長が２Ｌとなる周波数の音の場合は、正面から出る音と背面から出る音とが同相となるため、双方の音が互いに打ち消し合わず、低音の増強を図ることができる。
【００３２】
そこで、前記第２スピーカ装置Ｓ２では、第２エンクロージャＥ２内に形成されるバスレフダクト２７を図２に示すような延長屈折した迷路状のダクト構造をなすように構成し、まず、バスレフダクト２７の全長Ｌを長く確保できるようにしている。ちなみに、本実施形態の遊技機（パチンコ機）１０の場合、機台寸法も関係するが、図２に示すような迷路形状とすることで、そのバスレフダクト２７の全長Ｌを約０．７ｍ程度としている。また、一般に、波長が２Ｌ以下の音の場合には、２Ｌの０．７倍位の周波数までが低域再生帯域（低音の再生限界周波数）になると言われている。
【００３３】
従って、このような前提のもと、全長Ｌが０．７ｍとなるように迷路状に延長屈折させて形成された第２スピーカ装置Ｓ１のバスレフダクト２７の場合には、バスレフダクト２７の断面積とスピーカ２５の振動板面積が同一として計算すると、２Ｌの波長は１．４ｍ（＝２×０．７ｍ）となる。つまり、波長が１．４ｍの音の場合に低音の増強を図ることができることになる。そして、この場合での低音の周波数は２４３Ｈｚ（＝音速３４０ｍ／ｓｅｃ÷１．４ｍ）であるため、その低域再生帯域は１７０Ｈｚ（＝２４３Ｈｚ×０．７倍）となる。従って、このようにバスレフダクト２７を延長屈折した迷路状のダクト構造とすれば、たとえ機台寸法が小さくても、当該バスレフダクト２７の全長Ｌを長く確保できることから、第２スピーカ装置Ｓ２においては低音増強の図れる低域再生帯域をより一層低く設定できることになる。
【００３４】
図３は、このような第１及び第２スピーカ装置Ｓ１，Ｓ２からなるスピーカシステムからの音響出力を測定して得られた再生音圧周波数特性ｆを表した図である。この図３において、グラフの横軸は出力される再生音の周波数（Ｈｚ）を、また、グラフの縦軸は出力される再生音の音圧レベル（ｄｂ）を、それぞれ示している。一方、図４は、従来技術のように中枠１２の前面側下部に取り付けられている通常の遊技機用スピーカシステム（比較例）における再生音圧周波数特性ｆ１を表した図である。両図に示された再生音圧周波数特性ｆ，ｆ１の各グラフを対比してみると、図４のスピーカシステムの場合には、低域再生帯域が３５０Ｈｚ程度までしかのびていないのに対し、図３の本実施形態のスピーカシステムの場合には１７０Ｈｚあたりまで低域再生帯域がのびていることが理解できる。
【００３５】
従って、上記のように構成された本実施形態の遊技機１０及び各スピーカ装置Ｓ１，Ｓ２によれば、以下のような効果を得ることができる。
（１）各スピーカ装置Ｓ１，Ｓ２においてスピーカ収容部を構成するエンクロージャＥ１，Ｅ２は、外枠１１内における中枠１２の組み付け整合領域（中枠設置部位）よりも下方位置に配設されている。即ち、中枠１２や他の遊技機構成部材が多く配設された中枠設置部位よりも外枠１１内の下方位置においてスペース的な制約をそれほど受けることなく配設されている。従って、スピーカ装置Ｓ１，Ｓ２におけるスピーカユニット２３，２５には低域再生帯域が広い比較的大型のスピーカを採用することができ、各スピーカ装置Ｓ１，Ｓ２からは高音質の効果音等を再生出力することができる。
【００３６】
（２）しかも、前記各エンクロージャＳ１，Ｓ２は、遊技機１０の前後方向の幅内（つまり、機内部）に位置するように配設されるため、低音部の増強を図りつつも、従来とは異なり、遊技機１０の機裏側において頻繁に行われる基板交換等のメンテナンス作業に支障を与えることもない。
【００３７】
（３）また、各スピーカ装置Ｓ１，Ｓ２では、スピーカ２３，２５の正面から出る音と背面から出る音とが打ち消し合うことを防止する構造体（バッフル板）として遮蔽板１８及び区画壁２２からなるエンクロージャＥ１，Ｅ２を採用しているため、各スピーカユニット２３，２５からは中高音域のみならず低音域の再生をも確実に図ることができる。
【００３８】
（４）また、各スピーカ装置Ｓ１，Ｓ２は各々のスピーカ２３，２５の前面部が第１，第２音放出口１９，２０を介して、また第２スピーカの後面部がバスレフダクト２７及び第３音放出口２１を介して、それぞれ遊技機１０外部の大気と直接接触している構成とされている。従って、各スピーカ２３，２５からは再生音を篭もらせることなく、更に高音質にして再生出力できる。
【００３９】
（５）さらに、各スピーカ２３，２５の振動板やエッヂのある前面部には、各スピーカ２３，２５から発せられる音声の通過を許容する合成繊維素材からなる保護カバー２４，２６が被覆されているため、各スピーカ２３，２５の前面部を音質の低下を招くことなく好適に保護することができる。
【００４０】
（６）加えて、各スピーカユニット２３，２５がそれぞれ専用のエンクロージャＥ１，Ｅ２内に個別独立して配設されているため、他のエンクロージャ内に配設されている他のスピーカユニットから再生出力される音との抵触が回避されると共に、各エンクロージャ内に配設されるスピーカユニット２３，２５の再生音を篭もらせることがなく、透明感のある音として高品質で再生することができる。
【００４１】
（７）また、密閉型スピーカとして構成された第１スピーカ装置Ｓ１では、そのエンクロージャＥ１を密閉構造とし、且つエンクロージャＥ１は正面から見て横幅が広く且つ奥行きが浅い形態とした。そのため、当該エンクロージャＥ１内では、スピーカ２３に背面から空気圧がかかることになり、音質の良い中高音を再生出力できると共に、低音に関しても量感は少ないものの締まりのある歯切れ良い低音を再生出力することができる。
【００４２】
（８）一方、バスレフ型スピーカとして構成された第２スピーカ装置Ｓ２では、そのエンクロージャＥ２の内部に第３音放出口２１に連なるバスレフダクト２７が形成されている。そのため、当該バスレフダクト２７内及びエンクロージャＥ２内でスピーカ２５の背面から出た音を共鳴させて低音域の量感を補うことができ、迫力ある低音の再生が可能でありながら、スピーカ装置Ｓ２自体を非常にコンパクトにできる。
【００４３】
（９）しかも、そのバスレフダクト２７は延長屈折した迷路状のダクト構造をなしているため、機台寸法に制約のある遊技機１０であっても、バスレフダクト２７の全長を長く確保できる。従って、バスレフ型スピーカにあって低音増強の図れる低域再生帯域をより一層低域までのばすことができ、より迫力のある所謂重低音を響かせることができる。
【００４４】
（第２実施形態）
次に、本発明の第２実施形態を図５及び図６に従って説明する。なお、この第２実施形態は第２スピーカ装置Ｓ２におけるエンクロージャＥ２の具体的構成においてのみ第１実施形態と相違するものであり、その他の構成は第１実施形態の場合と同じである。従って、以下の説明においては、第１実施形態との相違部分を中心に説明することとし、その他の部分については第１実施形態と同一の符号を付すことにより重複した説明は省略する。
【００４５】
さて、本実施形態に係る遊技機１０は、外枠１１内の中枠設置部位よりも下方位置に、図５に示すように、密閉型スピーカとして構成された第１スピーカ装置Ｓ１と、バスレフ型スピーカとして構成された第２スピーカ装置Ｓ２とを備えている。各スピーカ装置Ｓ１，Ｓ２は、遮蔽板１８の裏側に区画壁２２により形成された各エンクロージャＥ１，Ｅ２をスピーカ収容部とし、各々のエンクロージャＥ１，Ｅ２内に中高音用スピーカユニットである第１，第２スピーカ２３，２５を配設している。なお、図５には図示されていないが、遮蔽板１８における各スピーカ２３，２５の前面部と対応する位置には第１音放出口１９と第２音放出口２０が形成されている。
【００４６】
第２スピーカ装置Ｓ２のエンクロージャＥ２内において、遮蔽板１８の裏面側には、当該遮蔽板１８の左右方向長さをほぼ二等分する箇所から筒状をなすバスレフダクト２７が突設されている。そして、図示はしないが、前記遮蔽板１８におけるバスレフダクト２７と対応する位置にはバスレフポートとして機能する第３音放出口２１が形成されている。また、第２エンクロージャＥ２の容量は低音再生のための適正容量となるように設計されている。そして、このように構成された第２スピーカ装置Ｓ２からの音響出力を測定してみると、図６に示すような再生音圧周波数特性ｆのグラフとなり、低域再生帯域は１７０Ｈｚ程度まで及んでいる。従って、本実施形態においては前記第１実施形態における（１）〜（８）の各効果と同様の効果を奏する。
【００４７】
（第３実施形態）
次に、本発明の第３実施形態を図７及び図８に従って説明する。なお、この第３実施形態についても前述した第１実施形態と相違する部分を中心に説明することとし、その他の部分については第１実施形態と同一の符号を付すことにより重複した説明は省略する。
【００４８】
さて、本実施形態に係る遊技機１０は、外枠１１内の中枠設置部位よりも下方位置に、図７に示すように、バスレフ型スピーカとして構成されたスピーカ装置Ｓを備えている。このスピーカ装置Ｓは、遮蔽板１８の裏側に区画壁２２により形成されたエンクロージャＥをスピーカ収容部として、そのエンクロージャＥ内に第１スピーカユニット２３と第２スピーカユニット２５とを配設している。第１スピーカユニット２３は前記第１，第２実施形態における第１スピーカユニット２３と同じコーン形の中高音用スピーカユニットである。
【００４９】
第２スピーカユニット２５は、前面部が横長のコーン形スピーカユニットであり、第１スピーカユニット２３よりも再生帯域が低い中低音用のスピーカユニットが使用されている。このような横長のスピーカユニットが配設可能とされるのも、外枠１１内の下方位置にスピーカ収容部（エンクロージャＥ）を設けたことによる。また、エンクロージャＥ内においては、前記第２スピーカユニット２５が中央に配置される一方、前記第１スピーカユニット２３が正面から見て右側寄りに配置されている。そして、図示はしないが、遮蔽板１８における第１スピーカユニット２３の前面部と対応する位置には第１音放出口１９が形成されると共に、第２スピーカユニット２５の前面部と対応する位置には第２音放出口２０が形成されている。
【００５０】
また、本実施形態では、前記エンクロージャＥ内において、遮蔽板１８の裏面側には、当該遮蔽板１８の左右両端の近傍箇所から、区画壁２２の内面に沿って屈曲した筒状をなすバスレフダクト２７が左右それぞれ設けられている。そして、図示はしないが、前記遮蔽板１８における各バスレフダクト２７と対応する位置にはバスレフポートとして機能する第３音放出口２１が各々形成されている。また、エンクロージャＥの容量は低音再生のための適正容量となるように設計されている。そして、このように構成されたスピーカ装置Ｓからの音響出力を測定してみると、図８に示すような再生音圧周波数特性ｆのグラフとなり、低域再生帯域は１７０Ｈｚ程度まで及んでいる。
【００５１】
従って、本実施形態においては前記第１実施形態における（１）〜（６）の各効果と同様の効果を奏する他、第２スピーカユニット２５を中低音用のスピーカユニットとしたことにより、スピーカ装置Ｓを低音から中高音まで全音域に亘って高音質な再生出力ができるマルチウェイタイプのスピーカシステムとして構築できる。
【００５２】
なお、上記各実施形態は以下のような別例に変更して具体化してもよい。
・  前記各実施形態では、各スピーカユニット２３，２５の前面部を保護カバー２４，２６により覆っていたが、このようなカバー２４，２６は必ずしもなくてよい。
【００５３】
・  前記各実施形態では、遮蔽板１８に形成される第１，第２音放出口１９，２０を多数の小孔にて構成したが、第１，第２スピーカユニット２３，２５の前面部を直接大気に接触できるならば、各音放出口１９，２０の形成態様は小孔に限らない。また、バスレフポートとして機能する第３音放出口２１の形成態様についても同様である。
【００５４】
・  前記各実施形態では、スピーカ収容部が各エンクロージャＥ，Ｅ１，Ｅ２により構成されていたが、スピーカ収容部は必ずしもエンクロージャ構造をしていなくてもよい。
【００５５】
・  前記各実施形態では、遊技機１０の外枠１１内に中枠１２を組み付け整合し、その中枠設置部位よりも下方にスピーカ収容部を配設していたが、中枠１２を有しない遊技機１０の場合には、遊技機１０における外枠１１内の下方位置にスピーカ収容部を配設するようにしてもよい。
【００５６】
・  前記第１実施形態では、第２エンクロージャＥ２内に形成されるバスレフダクト２７を延長屈折した迷路状のダクト構造をなすように形成したが、そのダクト構造を図９に示すように形成し、所謂バックロードホーン型のバスレフダクト２７に構成してもよい。即ち、当該バスレフダクト２７の幅員がバスレフポートたる第３音放出口２１（図９では図示略）に近づくほど増加するホーン状のダクト構造にしてもよい。このようにバスレフダクト２７を構成すれば、低音域の能率を良くし、所謂歯切れの良い音を再生出力することができる。
【００５７】
・  前記第１，第２実施形態では、両エンクロージャＥ１，Ｅ２内に各々同じ中高音用スピーカユニット２３，２５を配設したが、両エンクロージャＥ１，Ｅ２に音域の異なる別々のスピーカを配設するようにしてもよい。例えば、図１０及び図１１に示すように、密閉型エンクロージャ構造の第１エンクロージャＥ１内に高音用スピーカユニットの第１スピーカ２３を配設すると共に、バスレフ型エンクロージャ構造の第２エンクロージャＥ２に中音用スピーカユニットの第２スピーカ２５を配設するようにしてもよい。その場合には、第１エンクロージャＥ１が高音専用のエンクロージャとされ、第２エンクロージャＥ２が中音専用のエンクロージャとされる。このようにすると、高音及び中音のそれぞれの再生音を高品質に保つことができる。
【００５８】
・  前記第１，第２実施形態では、スピーカ収容部を２つのエンクロージャＥ１，Ｅ２により構成していたが、エンクロージャの数を第３実施形態（図７）のように１つとし、その１つのエンクロージャにより複数のスピーカ（第１，第２スピーカ２３，２５）が収容されるスピーカ収容部を構成してもよい。または、３つ以上の複数のエンクロージャにてスピーカ収容部を構成し、各エンクロージャ内にそれぞれスピーカユニットを配設するようにしてもよい。また、１つのエンクロージャ内に配設されるスピーカユニットの数は１つに限定されない。
【００５９】
・  前記第１，第２実施形態では各エンクロージャＥ１，Ｅ２内に中高音用のスピーカユニット２３，２５を配設していたが、それらに加えて低音用のスピーカユニットを配設するようにしてもよい。
【００６０】
・  前記第３実施形態では、中高音用の第１スピーカ２３と中低音用の第２スピーカ２５との組み合わせでマルチウェイタイプのスピーカシステムを構成したが、図１２に示すように、低音用のスピーカ３１と中音用のスピーカ３２及び高音用のスピーカ３３をエンクロージャＥ内に配設することでマルチウェイタイプのスピーカシステムを構成してもよい。なお、図１２において各スピーカ３１〜３３の前面部は保護カバー３４〜３６で覆われているが、必ずしも各カバー３４〜３６はなくてもよい。
【００６１】
・  前記第３実施形態では、中高音用の第１スピーカ２３と中低音用の第２スピーカ２５との組み合わせで、また、図１２の別例では、低音用のスピーカ３１と中音用のスピーカ３２及び高音用のスピーカ３３の組み合わせで、マルチウェイタイプのスピーカシステムをそれぞれ構成している。そして、各スピーカ２３，２５，３１，３２，３３をそれぞれエンクロージャＥ，Ｅ１，Ｅ２内に収容していた。しかし、マルチウェイタイプのスピーカシステムを構成することで全音域に亘る高音質の再生出力をするためならば、特に、各スピーカ２３，２５，３１，３２，３３をエンクロージャＥ，Ｅ１，Ｅ２内に収容する必要はない。
【００６２】
・  前記各実施形態では、各スピーカユニット２３，２５，３１，３２，３３がコーン形スピーカユニットにより構成されていたが、コーン形スピーカユニットに限定されず、例えば平面形スピーカユニット等も適用可能である。
【００６３】
【発明の効果】
以上詳述したように、本発明によれば、遊技機における機裏側のメンテナンス作業に支障を与えることなく、当該遊技機が備えるスピーカ装置の高音質化を図ることができる。
【図面の簡単な説明】
【図１】スピーカシステムが搭載されるパチンコ遊技機の正面図。
【図２】図１の２−２線で切断矢視した状態を示す第１実施形態のスピーカシステムの概略平面図。
【図３】そのスピーカシステムの再生音圧周波数特性を表したグラフ。
【図４】従来技術に相当する比較例の再生音圧周波数特性を表したグラフ。
【図５】第２実施形態のスピーカシステムの概略平面図。
【図６】そのスピーカシステムの再生音圧周波数特性を表したグラフ。
【図７】第３実施形態のスピーカシステムの概略平面図。
【図８】そのスピーカシステムの再生音圧周波数特性を表したグラフ。
【図９】第１実施形態の別例のスピーカシステムの概略平面図。
【図１０】第１実施形態の他の別例のスピーカシステムの概略平面図。
【図１１】第２実施形態の別例のスピーカシステムの概略平面図。
【図１２】第３実施形態の別例のスピーカシステムの概略平面図。
【符号の説明】
１０…遊技機、１１…外枠、１２…中枠、１８…遮蔽板、１９…第１音放出口、２０…第２音放出口、２１…第３音放出口、２２…区画壁、２３…第１スピーカユニット、２４…保護カバー、２５…第２スピーカユニット、２６…保護カバー、２７…バスレフダクト、Ｅ，Ｅ１，Ｅ２…エンクロージャ、Ｓ，Ｓ１，Ｓ２…スピーカ装置。
【図１】
0004128761.tif 000002
【図２】
0004128761.tif 000003
【図３】
0004128761.tif 000004
【図４】
0004128761.tif 000005
【図５】
0004128761.tif 000006
【図６】
0004128761.tif 000007
【図７】
0004128761.tif 000008
【図８】
0004128761.tif 000009
【図９】
0004128761.tif 000010
【図１０】
0004128761.tif 000011
【図１１】
0004128761.tif 000012
【図１２】
0004128761.tif 000013